(57)【特許請求の範囲】
【請求項１】
セグメント本体の内周面を覆うように埋設突起付熱可塑性プラスチックシートを配設したセグメントの継目施工方法において、隣接するセグメントの継目に沿って、かつ、両セグメントのセグメント本体と熱可塑性プラスチックシート間に、その端縁を挟み込むように熱可塑性プラスチックからなる帯状の継目処理部材本体を配設するとともに、前記熱可塑性プラスチックシートと継目処理部材本体間において、継目処理部材本体の長手方向に、表面を熱可塑性プラスチックにより覆った通電発熱体を並設し、該通電発熱体に通電することにより、熱可塑性プラスチックシートと継目処理部材とを融着するようにしたことを特徴とする埋設突起付熱可塑性プラスチックシートを配設したセグメントの継目施工方法。
【請求項２】
セグメント本体の内周面を覆うように埋設突起付熱可塑性プラスチックシートを配設したセグメントの継目施工方法において、隣接するセグメントの継目に沿って、かつ、両セグメントの熱可塑性プラスチックシート上に、その端縁を掛け渡すように熱可塑性プラスチックからなる帯状の継目処理部材本体を配設するとともに、前記熱可塑性プラスチックシートと継目処理部材本体間において、継目処理部材本体の長手方向に、表面を熱可塑性プラスチックにより覆った通電発熱体を並設し、該通電発熱体に通電することにより、熱可塑性プラスチックシートと継目処理部材とを融着するようにしたことを特徴とする埋設突起付熱可塑性プラスチックシートを配設したセグメントの継目施工方法。
【請求項３】
継目処理部材本体と通電発熱体とを別部材で以て構成し、継目処理部材本体の表面に形成した保持片に通電発熱体を保持することにより、継目処理部材本体の長手方向に通電発熱体を並設するようにしたことを特徴とする請求項１又は２記載の埋設突起付熱可塑性プラスチックシートを配設したセグメントの継目施工方法。
【請求項４】
継目処理部材本体と通電発熱体とを一体の部材で以て構成することにより、継目処理部材本体の長手方向に通電発熱体を並設するようにしたことを特徴とする請求項１又は２記載の埋設突起付熱可塑性プラスチックシートを配設したセグメントの継目施工方法。
【発明の詳細な説明】
【０００１】
【発明の属する技術分野】
本発明は、防食、遮水等を目的として、セグメント本体の内周面を覆うように埋設突起付熱可塑性プラスチックシートを配設したセグメントの継目施工方法に関するものである。
【０００２】
【従来の技術】
従来、シールドトンネル等において用いられるコンクリート製セグメントの防食、遮水等を目的として、セグメント本体の内周面を覆うように埋設突起付熱可塑性プラスチックシートを配設したセグメントが実用化されている。
この埋設突起付熱可塑性プラスチックシートを配設したセグメントは、図５（Ｂ）に示すように、セグメントを製造する際に、埋設突起１２ａを一体に形成した高密度ポリエチレンシート等の熱可塑性プラスチックシート１２を、予めその内周面に取り付けておいた型枠内にコンクリートを打設することにより、熱可塑性プラスチックシート１２の埋設突起１２ａがコンクリート製のセグメント本体１１内に埋設され、セグメント本体１１の内周面を覆うようにして熱可塑性プラスチックシート１２を強固に一体化した状態に配設することができるようにしたものである。
そして、この埋設突起付熱可塑性プラスチックシートを配設したセグメント１は、セグメント本体１１の内周面を覆う熱可塑性プラスチックシート１２の剥がれ、浮き上がり等がなく、セグメント本体１１を構成するコンクリートのひび割れに対する追従性があり、高いコンクリートの防食、遮水特性を有することから、トンネルの二次覆工を不要又は簡易化することができ、これにより、トンネルの小断面化による施工コストの低減を達成することができるものであった。
【０００３】
【発明が解決しようとする課題】
ところで、この埋設突起付熱可塑性プラスチックシートを配設したセグメント１は、図５（Ａ）に示すように、適宜の連結手段を用いて所要の断面形状に組み立てた後、隣接するセグメント１のセグメント本体１１の内周面を覆う高密度ポリエチレンシート等の熱可塑性プラスチックシート１２の継目を接合、一体化する必要がある。
【０００４】
この隣接する熱可塑性プラスチックシートの継目を接合、一体化するための継目施工方法としては、特に、接着剤を用いることができない高密度ポリエチレンシート等を使用する場合には、シートと同種類の材料からなる溶接棒を押出溶接機を用いて溶融しながら溶接する、いわゆる、プラスチック溶接方法が採用されていた。
この押出溶接機を用いるプラスチック溶接方法は、溶接棒を溶融しながら、熱風により隣接する熱可塑性プラスチックシートの継目（突き合わせ部）を加熱し、継目の隙間に溶融状態にした溶接棒を充填しながら、押圧することにより、隣接する熱可塑性プラスチックシートの継目を接合、一体化するものであるが、この場合、熱可塑性プラスチックシートを均一に加熱することが困難であるため、加熱された熱可塑性プラスチックシートにピンホールが生じ易いことから信頼性が低く、また、継目の隙間の距離が大きい場合には、繰り返して溶接を行う必要があることから、溶接作業に手数を要し、さらに、溶接部１３が熱可塑性プラスチックシートの表面に露出するため引っかかりやすく、損傷を受けやすいという問題があった。
【０００５】
本発明は、上記の埋設突起付熱可塑性プラスチックシートを配設したセグメントの継目施工方法の有する問題点に鑑み、隣接する埋設突起付熱可塑性プラスチックシートを配設したセグメントの熱可塑性プラスチックシートの継目を、容易かつ確実に、さらに、損傷を受けにくい形態に接合、一体化することができる埋設突起付熱可塑性プラスチックシートを配設したセグメントの継目施工方法を提供することを目的とする。
【０００６】
【課題を解決するための手段】
上記目的を達成するため、本第１発明の埋設突起付熱可塑性プラスチックシートを配設したセグメントの継目施工方法は、セグメント本体の内周面を覆うように埋設突起付熱可塑性プラスチックシートを配設したセグメントの継目施工方法において、隣接するセグメントの継目に沿って、かつ、両セグメントのセグメント本体と熱可塑性プラスチックシート間に、その端縁を挟み込むように熱可塑性プラスチックからなる帯状の継目処理部材本体を配設するとともに、前記熱可塑性プラスチックシートと継目処理部材本体間において、継目処理部材本体の長手方向に、表面を熱可塑性プラスチックにより覆った通電発熱体を並設し、該通電発熱体に通電することにより、熱可塑性プラスチックシートと継目処理部材とを融着するようにしたことを特徴とする。
【０００７】
この埋設突起付熱可塑性プラスチックシートを配設したセグメントの継目施工方法は、隣接するセグメントの継目に沿って、かつ、両セグメントのセグメント本体と熱可塑性プラスチックシート間に、その端縁を挟み込むように熱可塑性プラスチックからなる帯状の継目処理部材本体を配設するとともに、熱可塑性プラスチックシートと継目処理部材本体間において、継目処理部材本体の長手方向に、表面を熱可塑性プラスチックにより覆った通電発熱体を並設し、通電発熱体に通電することにより、通電発熱体の表面を覆った熱可塑性プラスチック並びに熱可塑性プラスチックシート及び継目処理部材本体の表面を加熱、溶融しながら、押圧することにより、隣接する熱可塑性プラスチックシートと継目処理部材とを融着する。
【０００８】
また、同じ目的を達成するため、本第２発明の埋設突起付熱可塑性プラスチックシートを配設したセグメントの継目施工方法は、セグメント本体の内周面を覆うように埋設突起付熱可塑性プラスチックシートを配設したセグメントの継目施工方法において、隣接するセグメントの継目に沿って、かつ、両セグメントの熱可塑性プラスチックシート上に、その端縁を掛け渡すように熱可塑性プラスチックからなる帯状の継目処理部材本体を配設するとともに、前記熱可塑性プラスチックシートと継目処理部材本体間において、継目処理部材本体の長手方向に、表面を熱可塑性プラスチックにより覆った通電発熱体を並設し、該通電発熱体に通電することにより、熱可塑性プラスチックシートと継目処理部材とを融着するようにしたことを特徴とする。
【０００９】
この埋設突起付熱可塑性プラスチックシートを配設したセグメントの継目施工方法は、隣接するセグメントの継目に沿って、かつ、両セグメントの熱可塑性プラスチックシート上に、その端縁を掛け渡すように熱可塑性プラスチックからなる帯状の継目処理部材本体を配設するとともに、熱可塑性プラスチックシートと継目処理部材本体間において、継目処理部材本体の長手方向に、表面を熱可塑性プラスチックにより覆った通電発熱体を並設し、通電発熱体に通電することにより、通電発熱体の表面を覆った熱可塑性プラスチック並びに熱可塑性プラスチックシート及び継目処理部材本体の表面を加熱、溶融しながら、押圧することにより、隣接する熱可塑性プラスチックシートと継目処理部材とを融着する。
【００１０】
この場合において、継目処理部材本体と通電発熱体とを別部材で以て構成し、継目処理部材本体の表面に形成した保持片に通電発熱体を保持することにより、継目処理部材本体の長手方向に通電発熱体を並設するようにすることができる。
【００１１】
これにより、通電発熱体の位置決めを容易かつ確実に行うことができるとともに、継目処理部材の製造を簡易に行うことができ、幅等の異なる複数種類の継目処理部材本体に対して、共通の通電発熱体を用いることができることと相俟って、継目処理部材の製造コストを低廉にすることができる。
【００１２】
また、継目処理部材本体と通電発熱体とを一体の部材で以て構成することにより、継目処理部材本体の長手方向に通電発熱体を並設するようにすることができる。
【００１３】
これにより、電発熱体の位置決めを容易かつ確実に行うことができるとともに、継目処理部材本体と通電発熱体との一体性を向上することができる。
【００１４】
【発明の実施の形態】
以下、本発明の埋設突起付熱可塑性プラスチックシートを配設したセグメントの継目施工方法の実施形態を、シールドトンネルにおいて用いられるコンクリート製セグメントに適用した実施例に基づいて説明する。
【００１５】
図１に、本発明の埋設突起付熱可塑性プラスチックシートを配設したセグメントの継目施工方法の第１実施例の工程図を示す。
本実施例に用いる埋設突起付熱可塑性プラスチックシートを配設したセグメントは、上述のとおり、セグメントを製造する際に、埋設突起１２ａを一体に形成した高密度ポリエチレンシート等の熱可塑性プラスチックシート１２を、予めその内周面に取り付けておいた型枠内にコンクリートを打設することにより、熱可塑性プラスチックシート１２の埋設突起１２ａがコンクリート製のセグメント本体１１内に埋設され、セグメント本体１１の内周面を覆うようにして熱可塑性プラスチックシート１２を強固に一体化した状態に配設することができるようにしたものである（図５（Ｂ）参照）。
【００１６】
この埋設突起付熱可塑性プラスチックシートを配設したセグメント１は、適宜の連結手段を用いて所要の断面形状に組み立てた後、隣接するセグメント１のセグメント本体１１の内周面を覆う高密度ポリエチレンシート等の熱可塑性プラスチックシート１２の継目を接合、一体化する必要がある。
【００１７】
このため、ここでは、隣接するセグメント１の継目に沿って、かつ、両セグメント１のセグメント本体１１と熱可塑性プラスチックシート１２間に、その端縁を挟み込むように熱可塑性プラスチックからなる帯状の継目処理部材本体２１を配設するとともに、熱可塑性プラスチックシート１２と継目処理部材本体２１間において、継目処理部材本体２１の長手方向に、表面を熱可塑性プラスチックにより覆った通電発熱体２２を並設し、通電発熱体２２に通電することにより、熱可塑性プラスチックシート１２と継目処理部材２とを融着するようにする。
【００１８】
この場合、セグメント１のセグメント本体１１の内周面を覆う熱可塑性プラスチックシート１２は、セグメント本体１１と熱可塑性プラスチックシート１２間に、帯状の継目処理部材本体２１を挟み込むように配設することができるように、所定の幅に亘ってセグメント本体１１とは一体化しないようにし、このため、必要に応じて、セグメント１を製造する際に、この部分の埋設突起１２ａを予め切除するか、この部分に埋設突起１２ａのない熱可塑性プラスチックシート１２を使用するようにする。
【００１９】
また、継目処理部材２を構成する継目処理部材本体２１は、通電発熱体２２とを別部材で以て構成し、この継目処理部材本体２１は、好ましくは、熱可塑性プラスチックシート１２と同種類の材料から構成するとともに、そのシート厚ｔ21は、熱可塑性プラスチックシート１２のシート厚ｔ1と略同じ厚さ、例えば、１〜５ｍｍ程度に形成するようにする。
【００２０】
また、通電発熱体２２は、内部に通電すると発熱するニクロム線やステンレス鋼線等の金属線２２ａを内蔵し、その表面を熱可塑性プラスチックにより覆った線形部材からなり、熱可塑性プラスチックは、好ましくは、熱可塑性プラスチックシート１２と同種類の材料から構成するようにする。
なお、具体的には、ステンレス鋼線をヘリカル状に内蔵し、その表面を熱可塑性プラスチックにより覆った商品名「Powercore」（Evanco  Environmental Technologies Ltd.（カナダ国オンタリオ）製）のほか、ニクロム線やステンレス鋼線の単線の表面を熱可塑性プラスチックにより覆ったものを使用することができる。
【００２１】
そして、継目処理部材２は、図１（Ａ）に示すように、隣接するセグメント１の継目に沿って、かつ、両セグメント１のセグメント本体１１と熱可塑性プラスチックシート１２間に、その端縁を挟み込むように熱可塑性プラスチックからなる帯状の継目処理部材本体２１を配設することにより、熱可塑性プラスチックシート１２との隙間をなくすようにするとともに、熱可塑性プラスチックシート１２と継目処理部材本体２１間において、継目処理部材本体２１の長手方向に並設した表面を熱可塑性プラスチックにより覆った通電発熱体２２が、熱可塑性プラスチックシート１２のそれぞれの端縁内側の近傍に位置するようにする（このように設置できるように継目処理部材本体２１の幅Ｗは、３０〜１００ｍｍ程度、好ましくは、４０〜６０ｍｍ程度に設定するようにする。）。
そして、この状態で、押さえローラ３等の任意の方法により、隣接するセグメント１の継目、すなわち、継目処理部材２を配設した箇所を、熱可塑性プラスチックシート１２の上から押圧しながら、通電発熱体２２の金属線２２ａに通電することにより、通電発熱体２２の表面を覆った熱可塑性プラスチック並びに熱可塑性プラスチックシート１２及び継目処理部材本体２１の表面を加熱、溶融し、図１（Ｂ）に示すように、熱可塑性プラスチックシート１２と継目処理部材２とを融着するようにする。
なお、この場合、通電発熱体１２の金属線１２ａに通電した後、継目処理部材２を配設した箇所を、熱可塑性プラスチックシート１２の上から押圧することもできる。
これにより、隣接するセグメント１の熱可塑性プラスチックシート１２の継目を、継目処理部材２を介して、水密状態に接合することができ、さらに、融着部が熱可塑性プラスチックシート１２の表面に露出しないため、損傷を受けにくく、信頼性の高い埋設突起付熱可塑性プラスチックシートを配設したセグメントの継目構造を得ることができるものとなる。
【００２２】
なお、適宜の連結手段（図示省略）を用いて隣接するセグメント１を組み立てるためにセグメント本体１１に形成された空所１４には、継目処理部材２を適用するに先だって、必要に応じて、モルタル等の適宜の充填材（目地材）を充填することができる。
この場合、充填材をセグメント本体１１の表面と面一となるように充填することにより、熱可塑性プラスチックシート１２と継目処理部材２との融着をより確実に行うことができるものとなる。
【００２３】
ところで、継目処理部材２は、本実施例においては、継目処理部材２を構成する継目処理部材本体２１と、通電発熱体２２とを、全く独立した部材で以て構成したが、これに限定されず、その形態を変更することができる。
例えば、図２に示す継目処理部材２のように、継目処理部材２を構成する継目処理部材本体２１と通電発熱体２２とを別部材で以て構成し、継目処理部材本体２１の表面に、通電発熱体２２を嵌合、保持する保持片２１ａを形成して構成することができる。
この場合、継目処理部材本体２１の表面に形成した保持片２１ａの厚みｔ22は、継目処理部材本体２１のシート厚ｔ21より若干薄く、例えば、０．５〜１ｍｍ程度に形成するようにする。
【００２４】
なお、継目処理部材２としては、上記のもののほか、図３に示すものを使用することができる。
【００２５】
図３（Ａ）に示すものは、継目処理部材本体２１の表面に形成する通電発熱体２２を保持する保持片２１ａを、継目処理部材本体２１の長手方向に平行に延びるリブ状に形成したものである。
このリブ状に形成した保持片２１ａは、通電発熱体２２を位置決め程度に緩く保持する機能を有するものである。
【００２６】
図３（Ｂ）に示すものは、継目処理部材本体２１の表面に形成する通電発熱体２２を保持する保持片２１ａを、継目処理部材本体２１の長手方向に平行に延びるリブ状に形成するとともに、通電発熱体２２に断面矩形に形成したものを用いたものである。
このリブ状に形成した保持片２１ａは、通電発熱体２２を位置決め程度に緩く保持する機能を有するものであり、また、断面矩形に形成した通電発熱体２２は、熱可塑性プラスチックシート１２と継目処理部材２とを確実に融着する機能を有するものである。
【００２７】
図３（Ｃ）に示すものは、継目処理部材本体２１の表面に形成する通電発熱体２２を保持する保持片２１ａを、継目処理部材本体２１の端縁に形成したものである。
【００２８】
図３（Ｄ）〜図３（Ｆ）に示すものは、継目処理部材本体２１と通電発熱体２４とを一体の部材で以て構成したもので、継目処理部材１の取扱を簡易に行うことができるとともに、継目処理部材本体２１と通電発熱体２４との一体性を向上することができる機能を有するものである。
この場合、通電発熱体２４には、内部に通電すると発熱するニクロム線やステンレス鋼線等の金属線を内蔵し、その表面を熱可塑性プラスチックにより覆った線形部材を用い、その表面を熱可塑性プラスチック２３により覆うように一体成形するほか、直接通電すると発熱するニクロム線やステンレス鋼線等の金属線を用い、その表面を熱可塑性プラスチック２３により覆うように一体成形することができる。
なお、図３（Ｄ）は、図２に示すものに、図３（Ｅ）は、図３（Ａ）に示すものに、図３（Ｆ）は、図３（Ｃ）に示すものに、それぞれ対応した基本構成を有しており、それらと同様の機能を有するものである。
【００２９】
この埋設突起付熱可塑性プラスチックシートを配設したセグメントの継目施工方法によれば、セグメント本体１１の内周面を覆う熱可塑性プラスチックシート１２の剥がれ、浮き上がり等がなく、セグメント本体１１を構成するコンクリートのひび割れに対する追従性があり、高いコンクリートの防食、遮水特性を有する埋設突起付熱可塑性プラスチックシートを配設したセグメント１の有するメリットに加え、隣接するセグメント１の熱可塑性プラスチックシート１２の継目を、容易かつ確実に水密状態に接合することができ、さらに、融着部が熱可塑性プラスチックシート１２の表面に露出しないため、損傷を受けにくいことから、信頼性の高い埋設突起付熱可塑性プラスチックシートを配設したセグメントの継目構造を得ることができるものとなる。
【００３０】
ところで、上記実施例においては、隣接するセグメント１の継目に沿って、かつ、両セグメント１のセグメント本体１１と熱可塑性プラスチックシート１２間に、その端縁を挟み込むように熱可塑性プラスチックからなる帯状の継目処理部材本体２１を配設するとともに、熱可塑性プラスチックシート１２と継目処理部材本体２１間において、継目処理部材本体２１の長手方向に、表面を熱可塑性プラスチックにより覆った通電発熱体２２を並設し、通電発熱体２２に通電することにより、熱可塑性プラスチックシート１２と継目処理部材２とを融着するようにしたが、図４に示す本発明の埋設突起付熱可塑性プラスチックシートを配設したセグメントの継目施工方法の第２実施例のように、隣接するセグメント１の継目に沿って、かつ、両セグメント１の熱可塑性プラスチックシート１２上に、その端縁を掛け渡すように熱可塑性プラスチックからなる帯状の継目処理部材本体２１を配設するとともに、熱可塑性プラスチックシート１２と継目処理部材本体２１間において、継目処理部材本体２１の長手方向に、表面を熱可塑性プラスチックにより覆った通電発熱体２２を並設し、通電発熱体２２に通電することにより、熱可塑性プラスチックシート１２と継目処理部材２とを融着することができる。
この場合、セグメント本体１１に形成された空所１４には、継目処理部材２を適用するに先だって、必要に応じて、モルタル等の適宜の充填材（目地材）を充填することができるが、充填材を熱可塑性プラスチックシート１２の表面と面一となるように充填することにより、熱可塑性プラスチックシート１２と継目処理部材２との融着をより確実に行うことができるものとなる。
なお、本実施例のその他の構成は、上記第１実施例と同様である。
【００３１】
以上、本発明の埋設突起付熱可塑性プラスチックシートを配設したセグメントの継目施工方法について、シールドトンネルにおいて用いられるコンクリート製セグメントに適用した実施例に基づいて説明したが、本発明の埋設突起付熱可塑性プラスチックシートを配設したセグメントの継目施工方法の適用対象は、これに限定されるものではなく、その趣旨を逸脱しない範囲内において、防食、遮水等を目的として、セグメント本体の内周面を覆うように埋設突起付熱可塑性プラスチックシートを配設したセグメントに、広く適用することができるものである。
また、熱可塑性プラスチックシートとしては、高密度ポリエチレンのほか、ポリプロピレン、塩化ビニル等の熱可塑性プラスチックシートに、広く適用することができるものである。
【００３２】
【発明の効果】
本第１発明（請求項１に記載の発明）の埋設突起付熱可塑性プラスチックシートを配設したセグメントの継目施工方法によれば、隣接するセグメントの継目に沿って、かつ、両セグメントのセグメント本体と熱可塑性プラスチックシート間に、その端縁を挟み込むように熱可塑性プラスチックからなる帯状の継目処理部材本体を配設するとともに、熱可塑性プラスチックシートと継目処理部材本体間において、継目処理部材本体の長手方向に、表面を熱可塑性プラスチックにより覆った通電発熱体を並設し、通電発熱体に通電することにより、通電発熱体の表面を覆った熱可塑性プラスチック並びに熱可塑性プラスチックシート及び継目処理部材本体の表面を加熱、溶融しながら、押圧することにより、隣接する熱可塑性プラスチックシートと継目処理部材とを融着することができ、これにより、隣接する熱可塑性プラスチックシートの継目を、継目処理部材を介して、容易かつ確実に水密状態に接合することができ、さらに、融着部及び継目処理部材が熱可塑性プラスチックシートの表面に露出しないため、損傷を受けにくく、信頼性の高い埋設突起付熱可塑性プラスチックシートを配設したセグメントの継目構造を得ることができる。
【００３３】
本第２発明（請求項２に記載の発明）の埋設突起付熱可塑性プラスチックシートを配設したセグメントの継目施工方法によれば、隣接するセグメントの継目に沿って、かつ、両セグメントの熱可塑性プラスチックシート上に、その端縁を掛け渡すように熱可塑性プラスチックからなる帯状の継目処理部材本体を配設するとともに、熱可塑性プラスチックシートと継目処理部材本体間において、継目処理部材本体の長手方向に、表面を熱可塑性プラスチックにより覆った通電発熱体を並設し、通電発熱体に通電することにより、通電発熱体の表面を覆った熱可塑性プラスチック並びに熱可塑性プラスチックシート及び継目処理部材本体の表面を加熱、溶融しながら、押圧することにより、隣接する熱可塑性プラスチックシートと継目処理部材とを融着することができ、これにより、隣接する熱可塑性プラスチックシートの継目を、継目処理部材を介して、容易かつ確実に水密状態に接合することができ、さらに、融着部が熱可塑性プラスチックシートの表面に露出しないため、損傷を受けにくく、信頼性の高い埋設突起付熱可塑性プラスチックシートを配設したセグメントの継目構造を得ることができる。
【００３４】
また、継目処理部材本体と通電発熱体とを別部材で以て構成し、継目処理部材本体の表面に形成した保持片に通電発熱体を保持することにより、継目処理部材本体の長手方向に通電発熱体を並設するようにすることができ、これにより、通電発熱体の位置決めを容易かつ確実に行うことができるとともに、継目処理部材の製造を簡易に行うことができ、幅等の異なる複数種類の継目処理部材本体に対して、共通の通電発熱体を用いることができることと相俟って、継目処理部材の製造コストを低廉にすることができる。
【００３５】
また、継目処理部材本体と通電発熱体とを一体の部材で以て構成することにより、継目処理部材本体の長手方向に通電発熱体を並設するようにすることができ、これにより、電発熱体の位置決めを容易かつ確実に行うことができるとともに、継目処理部材本体と通電発熱体との一体性を向上することができる。
【図面の簡単な説明】
【図１】本発明の埋設突起付熱可塑性プラスチックシートを配設したセグメントの継目施工方法の第１実施例を示す工程図で、（Ａ）は融着前の埋設突起付熱可塑性プラスチックシートを配設したセグメントの継目部の断面図、（Ｂ）は融着後の埋設突起付熱可塑性プラスチックシートを配設したセグメントの継目部の断面図である。
【図２】本発明の埋設突起付熱可塑性プラスチックシートを配設したセグメントの継目施工方法に用いる継目処理部材の一例を示す断面図である。
【図３】本発明の埋設突起付熱可塑性プラスチックシートを配設したセグメントの継目施工方法に用いる継目処理部材の例を示す断面図である。
【図４】本発明の埋設突起付熱可塑性プラスチックシートを配設したセグメントの継目施工方法の第２実施例を示す工程図で、（Ａ）は融着前の埋設突起付熱可塑性プラスチックシートを配設したセグメントの継目部の断面図、（Ｂ）は融着後の埋設突起付熱可塑性プラスチックシートを配設したセグメントの継目部の断面図である。
【図５】埋設突起付熱可塑性プラスチックシートを配設したセグメントを示し、（Ａ）は埋設突起付熱可塑性プラスチックシートを配設したセグメントを組み立てた状態を示す断面図（従来のプラスチック溶接方法を使用）、（Ｂ）は埋設突起付熱可塑性プラスチックシートを配設したセグメントの要部断面図である。
【符号の説明】
１    セグメント
１１  セグメント本体
１２  熱可塑性プラスチックシート
１２ａ  埋設突起
２    継目処理部材
２１  継目処理部材本体
２２  通電発熱体
【図１】
0003962167.tif 000002
【図２】
0003962167.tif 000003
【図３】
0003962167.tif 000004
【図４】
0003962167.tif 000005
【図５】
0003962167.tif 000006